【事件の表示】
　特許第２８０２６２３号「イメージセンサーの出力装置」の特許に対する特許異議の申立てについて、次のとおり決定する。
【結論】
　訂正を認める。
　特許第２８０２６２３号の特許請求の範囲第１項、第３項ないし第４項に記載された発明についての特許を維持する。
【理由】
（１）本件発明の手続の経緯
　本件特許第２８０２６２３号の請求項１、２，３に係る発明の手続の経緯は以下の通りである。
出願　　　　　昭和６２年１２月２９日
設定登録　　　平成１０年７月１７日
異議の申立　　平成１１年３月２４日
取消理由通知　平成１１年７月１２日
訂正請求　　　平成１１年９月２０日
（２）訂正の適否
（訂正の内容）
特許権者が求めている訂正の内容は以下の通りである。
ａ．特許請求の範囲に関して
▲１▼特許請求の範囲に記載されている「この信号処理手段が出力した差信号にもとづいて装置回路部を制御する制御手段」を、「前記差信号を増福する増幅手段と、この増幅手段の出力が予め定めた所定時間内に所定レベルに達した時、その出力にもとづいて、イメージ信号を出力する増幅手段の増幅度を設定すると共に、イメージセンサーの電荷蓄積を終了させる制御手段」と訂正する。
ｂ．明細書の詳細な説明に関して
▲１▼明細書第６頁第１０行目〜第１１行目（補正部分）（特許第２８０２６２３号公報第３頁第５欄１行目〜３行目）の「この信号処理手段が出力した差信号にもとづいて装置回路部を制御する制御手段」を「前記差信号を増幅する増幅手段と、この増幅手段の出力が予め定めた所定時間内に所定レベルに達した時、その出力にもとづいて，イメージ信号を出力する増幅手段の増幅度を設定すると共に、イメージセンサーの電荷蓄積を終了させる制御手段」と訂正する。
▲３▼明細書第６頁第２１行目〜第２６行目（補正部分）（特許第２８０２６２３号公報第３頁第５欄４５行目〜第６欄２行目）の「つまり、イメージセンサーに入射した光の…・・・・増幅度設定等に用いることができる。」を、「このように算出された差信号が増幅手段によって増幅され、増幅された差信号（増幅手段出力）が所定レベルに達した時、増幅された差信号が出力装置を制御するコントロール信号の一部として用いられる。
　つまり、制御手段が増幅された差信号にもとづき、イメージ信号を出力する増幅手段の増幅度を設定すると共に、イメージセンサーの電荷蓄積を終了させる。」
▲４▼明細書第２８頁第１６行目〜第２２行目（補正部分）（特許第２８０２６２３号公報第７頁第１３欄４２行目〜第１４欄３行目）の「上記した通り、本発明の出力装置によれば、・・・・・高い精度の装置出力を得ることができる。」を、「上記した通り、本発明の出力装置によれば、イメージセンサーに入射した光の明暗差が検出され、この検出信号にしたがって装置回路部が制御される。したがって、イメージ信号を出力する増幅手段は、イメージセンサーに入射した光の明暗差に応じ、明暗差が大きければ小さく、明暗差が小さければ大きくなるように増幅手段の増幅度を設定することができる。
　このことから、イメージセンサーに入射した光のコントラスト比の高低にかかわらず、高い精度の装置出力を得る
ことができる。
　また、最大光検出信号と最小光検出信号との差信号を増幅し、増幅した差信号にもとづいてイメーシセンサーの電荷蓄積を終了させる構成としたので、イメージセンサーに入射した光のコントラスト比の高低にかかわらず、電荷蓄積時間を高い精度で制御するイメージセンサーの出力装置となる。」と訂正する。
（訂正の目的、新規事項の有無及び拡張・変更の存否）
明細書の詳細な説明には上記訂正に関連する記載として、
「つまり、イメージセンサに入射した光の明暗（室）の差信号が算出され、その差信号がこの信号処理手段から出力される。
上記した差信号は出力装置を制御するコントロール信号の一部をして用いられる。例えば、第二の発明の出力装置のように、最大光検出信号を最小光検出信号の差信号を増幅する場合に、増幅手段の増幅度設定等に用いることができる。
第２の発明の出力装置は、最大光検出信号と最小光検出信号の差信号が大きいとき、つまり、イメージセンサーに入射した光の明暗差が大きいときは増幅度を小さく、その明暗差が小さいときは増幅度を大きく設定する。この結果、増幅手段によって増幅された差信号をＡ／Ｄ変換することが容易となり、高精度の明暗差信号が得られる。」
第６頁第２行〜第３１行（特許公報第３頁第５欄４５行目〜第６欄１０行目）、
「上記したように、差動増幅回路３３の出力信号Ｖ０＝Ｖｍが所定レベルに達すると、この増幅回路３３が増幅度に設定されると同時に、シフト選択信号ＳｓがＬｏｗ電圧からＨｉｇｈ電圧に変わり、シフト信号Ｅｓを入力する態勢に移り、これ以後はモニタ動作が再度行われるまで比較回路３７の反転出力の入力を禁止する。・・・（中略）・・・このように、シフト信号Ｅｓがコントロール回路に供給された時、つまり出力信号Ｖ０＝Ｖｍが所定レベルに達したときにセンサーアレイ２１の電荷蓄積が中止されるため、電荷蓄積時間がー（Ｖｍａｘ−Ｖｍｉｎ）にしたがって定まり、コントラスト比が高ければ短い時間となり、コントラスト比が高く無ければ、長い時間となる」（第１５頁第８行〜第１７頁第５行目（特許公報第５頁第９欄第１１行〜第９欄４３行））
と記載されていることから、「イメージ信号を出力する増幅手段の増幅度を差信号に基づいて設定すること」及び「差信号に基づいて電荷蓄積を終了すること」は特許明細書に記載されているものと認める。
そして、上記ａ、ｂの訂正は特許明細書に記載された事項の範囲を更に限定するものであるから、特許請求の範囲の減縮に該当するものであり、新規事項の追加に該当しない。
（独立特許要件）
後記（（３）特許異議申立についての判断の項）の通り、訂正明細書の請求項１に係る発明は、特許出段の際独立して特許を受けることができるものである。
（むすび）
以上の通りであるから、上記訂正は特許法第１２０条の４題２項及び同条第３項に於いて準用する第１２６条第２−４項の規定に適合するものであるから、当該訂正を認める。
（３）特許異議申立について
（本件発明）
平成１１年９月２０日付けで提出された訂正明細書の請求項１、２，３に係る発明は、その特許請求の範囲の請求項１，２、３に記載された事項により特定される下記の通りのものである。
「（１）イメージセンサーの出力装置において、イメージセンサーに入射した光の最も強い部分光を直接に検出する最大光検出手段と、その入射光の最も弱い部分光を直接に検出する最小光検出手段と、これら検出手段によって繰返し検出された最大光検出信号と最小光検出信号との差信号を求める信号処理手段と、前記差信号を増幅する増幅手段と、この増幅手段の出力が予め定めた所定時間内に所定レベルに達した時、その出力にもとづいて、イメージ信号を出力する増幅手段の増幅度を設定すると共に、イメージセンサーの電荷蓄積を終了させる制御手段とを備えて構成したことを特徴とするイメージセンサーの出力装置。
　（２）最大光検出信号と最小光検出信号との差信号を増幅する増幅手段を備え、最大光検出信号と最小光検出信号の差が大きいときはその増幅手段の増幅度を小さく、これら検出信号の差が小さいときはその増幅度を大きく設定する構成としたことを特徴とする特許請求の範囲第（１）項に記載したイメージセンサーの出力装置。
（３）イメージセンサーの出力装置において、イメージセンサーに入射した光の最も強い部分光を検出する最大光検出手段と、その入射光の最も弱い部分光を検出する最小光検出手段と、これら検出手段によって検出された最大光検出信号と最小光検出信号との差信号を求める信号処理手段と、この信号処理手段が出力した差信号の信号レベルを検出し、信号レベルが所定レベルに達したときに電荷蓄積を終了させる第１の制御手段と、上記差信号の信号レベルが所定レベルに達するまでの間に電荷蓄積の飽和に近づいた時に最大光検出信号に応動して電荷蓄積を終了させる第２の制御手段とより構成したことを特徴とするイメージセンサーの出力装置。」
（異議の申立の概要）
特許異議申立人金子　和弘は、以下の通り主張する。
▲１▼第１の主張
請求項１に係る発明の特許は、甲第１号証（特許第２６６８５３５号）、甲第３号証（特許第２７５３７０４号）と同一であり、特許法第３９条第１項の規定により取り消されるべきである。また、請求項１に係る発明の特許は、甲第２号証（特開昭６０−２５６２７９号公報）のものと同一であり、甲第２号証に基づいて容易に発明することができたものであるから、特許法第２９条第１項第３号および第２項の規定により取り消されるべきである。
▲２▼第２の主張
請求項２に係る発明の特許は、甲第３号証（特許第２７５３７０４号）と同一であり、特許法第３９条第１項の規定により取り消されるべきである。また、甲第４，５，６号証に記載された発明に基づき容易に発明できたものであるから、特許法第２９条第２項の規定により取り消されるべきである。
▲３▼第３の主張
更に請求項３に係る発明の特許は、甲第２号証に記載されているものであるから、特許法第２９条第１項第３号、第２項の規定により取り消されるべきである。
（当審の判断）
（引用刊行物記載の発明）
ア．甲第１号証（特許第２６６８５３５号公報）「最大値と最小値の差に基づき蓄積時間を制御する回路手段」（特許請求の範囲）
イ．甲第２号証（特開昭６０−２５６２７９号公報）
その第１図、第２図、第２頁右上欄第１６行目〜同頁左下欄第１６行目、第２頁右下欄第１９行目〜第３頁左下欄第１３行目の記載によれば、複数の画素ＰＳ１１〜ＰＳ４３に蓄積中の電荷レベルをフローティングゲート３ａ〜３ｄのブロック単位でリアルタイムで検出できるように構成し、フローティングゲート３ａ〜３ｄの４つのブロックからの信号のうちの１つが所定レベルに達したら制御回路１１により複数の画素ＰＳ１１〜ＰＳ４３における電荷蓄積動作を停止するように、即ち制御回路１１により４つのブロックからの前記所定レベルの信号により蓄積型光センサの電荷蓄積時間を規制するように構成された自動蓄積時間制御方式が開示されている。
また、実施例の変形例として、発明の詳細な説明において以下の記載がある。
「また、最大値のみによる制御と、最大値と最小値との差による制御とを、切り換え等れる用にしてもよい。更に、中心付近に重点を置いた自動蓄積時間制御方式にすることも可能である。」（第４頁左上欄第１６行目〜第１９行目）
甲第３号証
請求項１には、「イメージセンサーに入射する光のうち、最も強い部分光を電気的に検出する最大光検出回路と、最も弱い部分光を電気的に検出する最小光検出回路との検出信号を入力して、これらの差信号を出力する差動増幅回路及び上記差信号に基づいて、この差信号が大きければ小さく、それが小さければ大きく上記差動増幅回路の増幅度を設定する回路手段からなる光の明暗差のモニタ手段を設け、かつ、上記最大光検出回路の検出信号に変えてイメージセンサーのビデオ信号を上記差動増幅回路のに入力させる切り換え手段を備え、この差動増幅回路がモニタ手段によって予め設定された増幅度にしたがいビデオ信号と上記最小光検出回路の検出信号との差信号を出力する構成としたことを特徴とするイメージセンサーの出力装置。」が記載されている。
甲第４号証
甲第４号証は走査型電子顕微鏡等に使用される映像信号の自動調整装置に関するもので、映像信号処理回路の調整を自動化するもので、その特許請求の範囲には、「一周期における入力映像信号の最大値と最小値の差を検出し記憶する手段、及び該手段に記憶された値に基づいて次の周期以後の入力映像信号を増巾度を可変するための手段を設けたこと」が記載されている。
甲第５号証
甲第５号証は走査型電子顕微鏡等に使用される映像信号の自動コントラスト調整装置に関するもので、その特許請求の範囲には「入力映像信号の交流の振巾の平均値を測定する手段及び該手段にて測定された値に基づいて前記入力映像信号の増巾度を設定するための手段を設けること」が記載されている。
甲第６号証
甲第６号証は光電変換セルを有する光電変換装置に関するもので、制御電極領域に、主電極領域都道いつ導電型の半導体領域を主電極領域と別に設けて、主電極領域から光情報の読み出しを行い、他方別に設けた半導体領域から調光やピーク値を検出を行うことができるようにしたものであるが、詳細な説明に於いて以下の記載が認められる。「上記第二例の撮像装置では、エミッタ電極８’からピーク電圧Ｖｐｋに基づいて蓄積動作期間を調整することで、第一例と同様に光情報の大小の広がりを抑制し、自動的な絞りの機能を実現している。勿論、第二例の方式を第一例に応用して、ピーク電圧Ｖｐｋに基づいて増幅器４３の増幅度を調整してもよい。」（第６頁の左上欄の第７行〜１３行）
（対比・判断）
▲１▼第１の主張について
本件の訂正請求書の請求項１に係る発明は、甲第１号証の発明について更に増幅度の設定に関して限定したものであるから、同一であると言えない。また、甲第２号証を精査しても、増幅度の設定について記載されていないのであるから、訂正請求書の請求項１に係る発明は甲第２号証記載のものと同一ということはできないし、甲第２号証から容易であるとはいえない。
▲２▼第２の主張について
甲第３号証は増幅度の設定に関するものであって、電荷蓄積時間を制御する点については何ら規定するものではないので、増幅度の設定と電荷蓄積時間を制御する訂正請求書の請求項２に係る本件発明と同一であるとすることはできない。
また、甲第４、５号証のものは電子顕微鏡等の映像信号の自動コントラスト調整装置の増幅度の設定に関するものであるが、電荷蓄積時間制御については何ら記載されていない。
甲第６号証のものは光電変換装置の高速動作化、回路構成動作の複雑化を回避する目的で、制御電極領域に、主電極領域と同一の導電型の半導体領域を主電極領域とは別に設けるたものであって、異議申立人は甲第６号証の記載「上記第二例の撮像装置では、エミッタ電極８’からピーク電圧Ｖｐｋに基づいて蓄積動作期間を調整することで、第一例と同様に光情報の大小の広がりを抑制し、自動的な絞りの機能を実現している。勿論、第二例の方式を第一例に応用して、ピーク電圧Ｖｐｋに基づいて増幅器４３の増幅度を調整してもよい。」（第６頁の左上欄の第７行〜１３行）の記載を以て「検出電圧に基づいて蓄積動作期間を調整すること、２つの方式により増幅器の増幅度を調整する」ことが記載されていると主張するが、本件の訂正された請求項１の発明の構成要件である差信号に基づいて電荷蓄積を終了する点については何ら記載されていない。
そうすると、甲第４，５，６号証に基づいて本願出願が容易に推考できたということはできない。
▲３▼第３の主張について
本件の訂正請求書の請求項３に係る発明は、「信号処理手段が出力した差信号の信号レベルを検出し、信号レベルが所定レベルに達したときに電荷蓄積を終了させる第１の制御手段」と、「上記差信号の信号レベルが所定レベルに達するまでの間に電荷蓄積の飽和に近づいた時に最大光検出信号に応動して電荷蓄積を終了させる第２の制御手段」とからなるもので、特に第２の制御手段は飽和の監視を行うものであるが、甲第２号証には飽和を監視する技術については何ら開示されていないものであり、従って甲第２号証に基づき容易であるとすることはできない。
（むすび）
以上の通りであるから、特許異議申立の理由及び証拠によっては、本件請求項１，２，３に係る発明の特許を取り消すことはできない。
また、他に本件請求項１，２，３に係る発明の特許を取り消すべき理由を発見しない。
よって、結論のとおり決定する。
【異議決定日】
平成１１年１１月１１日（１９９９．１１．１１）
【訂正の要旨】
（３）　訂正の要旨
　▲１▼　訂正事項　ａ
　特許請求の範囲第１項に記載されている「この信号処理手段が出力した差信号にもとづいて装置回路部を制御する制御手段」を、特許請求の範囲の減縮を目的として、「前記差信号を増幅する増幅手段と、この増幅手段の出力が予め定めた所定時間内に所定レベルに達した時、その出力にもとづいて、イメ−ジ信号を出力する増幅手段の増幅度を設定すると共に、イメ−ジセンサ−の電荷蓄積を終了させる制御手段」と訂正する。
　▲２▼　訂正事項　ｂ
　明細書第６頁第１０行目〜同頁第１１行目（補正部分）（特許第２８０２６２３号公報第３頁第５欄上から１行目〜３行目）の「この信号処理手段が出力した差信号にもとづいて装置回路部を制御する制御手段」を、特許請求の範囲の減縮を目的として、「前記差信号を増幅する増幅手段と、この増幅手段の出力が予め定めた所定時間内に所定レベルに達した時、その出力にもとづいて、イメ−ジ信号を出力する増幅手段の増幅度を設定すると共に、イメ−ジセンサ−の電荷蓄積を終了させる制御手段」と訂正する。
　▲３▼　訂正事項　ｃ
　明細書第６頁第２１行目〜同頁第２６行目（補正部分）　（特許第２８０２６２３号公報第３頁第５欄上から４５行目〜第６欄上から２行目）の「つまり、イメ−ジセンサ−に入射した光の・・・・・・・増幅度設定等に用いることができる。」を、「このように算出された差信号が増幅手段によって増幅され、増幅された差信号（増幅手段出力）が所定レベルに達した時、増幅された差信号が出力装置を制御するコントロ−ル信号の一部として用いられる。
　つまり、制御手段が増幅された差信号にもとづき、イメ−ジ信号を出力する増幅手段の増幅度を設定すると共に、イメ−ジセンサ−の電荷蓄積を終了させる。」と訂正する。
　▲４▼　訂正事項　ｄ
　明細書第２８頁第１６行目〜同頁第２２行目（補正部分）（特許第２８０２６２３号公報第７頁第１３欄上から４２行目〜第１４欄上から３行目）の「上記した通り、本発明の出力装置によれば、・・・・・・・・・・高い精度の装置出力を得ることができる。」を、「上記した通り、本発明の出力装置によれば、イメ−ジセンサ−に入射した光の明暗差が検出され、この検出信号にしたがって装置回路部が制御される。
　したがって、イメ−ジ信号を出カする増幅手段は、イメ−ジセンサ−に入射した光の明暗差に応じ、明暗差が大きければ小さく、明暗差が小さければ大きくなるように増幅手段の増幅度を設定することができる。
　このことから、イメ−ジセンサ−に入射した光のコントラスト比の高低にかかわらず、高い精度の装置出力を得ることができる。
　また、最大光検出信号と最小光検出信号との差信号を増幅し、増幅した差信号にもとづいてイメ−ジセンサ−の電荷蓄積を終了させる構成としたので、イメ−ジセンサ−に入射した光のコントラスト比の高低にかかわらず、電荷蓄積時間を高い精度で制御するイメ−ジセンサ−の出力装置となる。」と訂正する。
（５４）【発明の名称】
イメ−ジセンサ−の出力装置
（５７）【特許請求の範囲】
（１）　イメ−ジセンサ−の出力装置において、イメ−ジセンサ−に入射した光の最も強い部分光を直接に検出する最大光検出手段と、その入射光の最も弱い部分光を直接に検出する最小光検出手段と、これら検出手段によって繰返し検出された最大光検出信号と最小光検出信号との差信号を求める信号処理手段と、
前記差信号を増幅する増幅手段と、この増幅手段の出力が予め定めた所定時間内に所定レベルに達した時、その出力にもとづいて、イメ−ジ信号を出力する増幅手段の増幅度を設定すると共に、イメ−ジセンサ−の電荷蓄積を終了させる制御手段と
（２）　最大光検出信号と最小光検出信号との差信号を増幅する増幅手段を備え、最大光検出信号と最小光検出信号の差が大きいときはその増幅手段の増幅度を小さく、これら検出信号の差が小さいときはその増幅度を大きく設定する構成としたことを特徴とする特許請求の範囲第（１）項に記載したイメ−ジセンサ−の出力装置。
（３）　イメ−ジセンサ−の出力装置において、イメ−ジセンサ−に入射した光の最も強い部分光を検出する最大光検出手段と、その入射光の最も弱い部分光を検出する最小光検出手段と、これら検出手段によって検出された最大光検出信号と最小光検出信号との差信号を求める信号処理手段と、この信号処理手段が出力した差信号の信号レベルを検出し、信号レベルが所定レベルに達したときに電荷蓄積を終了させる第１の制御手段と、上記差信号の信号レベルが所定レベルに達するまでの間に電荷蓄積の飽和に近づいた時に最大光検出信号に応動して電荷蓄積を終了させる第２の制御手段とより構成したことを特徴とするイメ−ジセンサ−の出力装置。
（４）　イメ−ジセンサ−の出力装置において、イメ−ジセンサ−に入射した光の最も強い部分光を検出する最大光検出手段と、その入射光の最も弱い部分光を検出する最小光検出手段と、これら検出手段によって検出された最大光検出信号と最小光検出信号との差信号を求める信号処理手段と、この信号処理手段が出力する差信号を増幅する増幅手段と、増幅された差信号が所定レベルに達したとき電荷蓄積を終了させる制御手段とを備え、電荷蓄積を終了させたときの増幅度と同じまたは同様の増幅度に設定した増幅手段によってセンサ−出力信号と最小光検出信号との差信号を増幅してイメ−ジ信号を出力させる構成としたことを特徴とするイメ−ジセンサ−の出力装置。
【発明の詳細な説明】
　「産業上の利用分野」
　この発明は、写真撮影用カメラの焦点検出装置などとして利用するところのイメ−ジセンサ−の出力装置に関する。
　「従来の技術」
　オ−トフォ−カス機能を有する最近のカメラは被写体光をイメ−ジセンサ−に入射させ、このビデオ信号（撮像信号）から合焦検出を行なうようになっている。
　イメ−ジセンサ−としてはＣＣＤ素子を使用したものが多く、一般には、イメ−ジセンサ−の受光面に設けた基準領域と参照領域とに被写体像を結像させ、基準領域の像に対して参照領域の像を一致させることにより合焦点を検出する、いわゆる位相差検出方式、また、合焦時にはイメ−ジセンサ−に結像された被写体像のコントラストが最大になることを利用した、いわゆるコントラスト検出方式が採用されている。
　第１２図は従来例として示したイメ−ジセンサ−のブロック図を示している。
　イメ−ジセンサ−は公知のＣＣＤ素子であり、基準領域と参照領域とを有するセンサ−アレイ１１、リセットゲ−ト１２、シフトゲ−ト１３、ＣＣＤシフトレジスタ１４によって構成され、また、イメ−ジセンサ−は近接させて設けたモニタ用センサ−１５によるモニタ電圧Ｖｍにより第１４図に示した如く電荷蓄積時間が定められる。
　すなわち、モニタ電圧Ｖｍは第１３図に示す如く、センサ−アレイ１１と共にリセットパルスφｒを入力してアンプ１６より出力し、このモニタ電圧Ｖｍが予め定められた設定電圧Ｖｔに達するまでの間にセンサ−アレイ１１が電荷を蓄積する。
　このように蓄積した電荷量はシフトパルスΦｓの入力によりＣＣＤシフトレジスタ１４に移された後、転送パルスΦ１、Φ２にしたがいこのシフトレジスタ１４から順次送り出されてプリアンプ１７よりビデオ信号電圧Ｖｏｓが出力する。
　このビデオ信号電圧Ｖｏｓはアンプ１８より出力する補償電圧Ｖｃｓと比較し、その差電圧をＡ／Ｄ変換器によってデジタル変換して信号処理回路に送り測距演算を行なう構成となっている。
　「発明が解決しようとする問題点」
　上記した従来例のような場合、モニタ用センサ−１５がセンサ−アレイ１１上の基準領域における平均的な輝度分布をモニタするため、センサ−アレイ１１にコントラスト比の高い像が投影されたとき、また、画素の一部分に強い光が当たっているときなどには、第１５図に示す電荷量曲線Ａより分かる通り、一部分の画素が飽和してしまい正確なビデオ信号電圧Ｖｏｓが得られず、測距演算結果に誤差が現われる。
　この飽和を避けるために、モニタ電圧Ｖｍの設定電圧Ｖｔを低いレベルに定めることが考えられるが、このようにすると、コントラスト比の低い被写体の検出の場合に電荷蓄積量が少なくなり、ビデオ信号電圧ＶｏｓのＳ／Ｎが悪くなると共に、飽和領域から充分余裕をもったレベルで電荷蓄積量を制限することとなり、イメ−ジセンサ−の能力を効果的に利用せずに、Ｓ／Ｎの低い状態で使用することとなって好ましくない。
　また、上記した従来例の場合、モニタ用センサ−１５がイメ−ジセンサ−と同一の被写体或いは被写体部所の光を受けないため、被写体によっては意図した電荷蓄積量のコントロ−ルができないことがある。
　一方、センサ−アレイ１１に投影される被写体像のコントラスト比が小さい場合には、ビデオ信号電圧Ｖｏｓの信号変化成分−（Ｖｍａｘ−Ｖｍｉｎ）がビデオ信号電圧Ｖｏｓと補償電圧Ｖｃｓとの差電圧−（Ｖｏｓ−Ｖｃｓ）の平均電圧に比べて遥かに小さいために、高分解能のＡ／Ｄ変換器が必要となる。
　また、第１４図より分かる通り、平均出力信号に相当するモニタ電圧ＶｍがリセットパルスΦｒの入力された後より一定の設定電圧Ｖｔに達するまでの時間をイメ−ジセンサ−の電荷蓄積時間としているので、上記した差電圧−（Ｖｏｓ−Ｖｃｓ）の平均電圧が一定なものとなり、このような電圧を増幅してＡ／Ｄ変換器に入力することになる。
　また、被写体の明るさが暗くモニタ電圧Ｖｍが規定時間内に設定電圧Ｖｔに達しないような特殊な場合には、モニタ電圧Ｖｍのレベルに応じて上記した差電圧−（Ｖｏｓ−Ｖｃｓ）を増幅していた。
　このような場合にも、上記差電圧−（Ｖｏｓ−Ｖｃｓ）の平均電圧に応じた増幅度となるため、明暗差の少ない被写体の場合には有効にＡ／Ｄ変換することができない。
　また、従来のイメ−ジセンサ−では平均的に暗い被写体に対して合焦検出を行なう場合、充分なコントラスト比がある場合でも長い電荷蓄積時間を要するという問題があった。
　「問題点を解決するための手段」
　本発明は上記した問題点にかんがみ開発したもので、第１の発明として、イメ−ジセンサ−の出力装置において、イメ−ジセンサ−に入射した光の最も強い部分光を直接に検出する最大光検出手段と、その入射光の最も弱い部分光を直接に検出する最小光検出手段と、これら検出手段によって繰返し検出された最大光検出信号と最小光検出信号との差信号を求める信号処理手段と、
前記差信号を増幅する増幅手段と、この増幅手段の出力が予め定めた所定時間内に所定レベルに達した時、その出力にもとづいて、イメ−ジ信号を出力する増幅手段の増幅度を設定すると共に、イメ−ジセンサ−の電荷蓄積を終了させる制御手段と
　第２の発明としては、上記した第１の発明において、最大光検出信号と最小光検出信号との差信号を増幅する増幅手段を備え、最大光検出信号と最小光検出信号の差が大きいときはその増幅手段の増幅度を小さく、これら検出信号の差が小さいときはその増幅度を大きく設定する構成としたことを特徴とするイメ−ジセンサ−の出力装置を提案する。
　第３の発明としては、イメ−ジセンサ−の出力装置において、イメ−ジセンサ−に入射した光の最も強い部分光を検出する最大光検出手段と、その入射光の最も弱い部分光を検出する最小光検出手段と、これら検出手段によって検出された最大光検出信号と最小光検出信号との差信号を求める信号処理手段と、この信号処理手段が出力した差信号の信号レベルを検出し、信号レベルが所定レベルに達したときに電荷蓄積を終了させる第１の制御手段と、上記差信号の信号レベルが所定レベルに達するまでの間に電荷蓄積の飽和に近づいた時に最大光検出信号に応動して電荷蓄積を終了させる第２の制御手段とより構成したことを特徴とするイメ−ジセンサ−の出力装置を提案する。
　第４の発明としては、イメ−ジセンサ−の出力装置において、イメ−ジセンサ−に入射した光の最も強い部分光を検出する最大光検出手段と、その入射光の最も弱い部分光を検出する最小光検出手段と、これら検出手段によって検出された最大光検出信号と最小光検出信号との差信号を求める信号処理手段と、この信号処理手段が出力する差信号を増幅する増幅手段と、増幅された差信号が所定レベルに達したとき電荷蓄積を終了させる制御手段とを備え、電荷蓄積を終了させたときの増幅度と同じまたは同様の増幅度に設定した増幅手段によってセンサ−出力信号と最小光検出信号との差信号を増幅してイメ−ジ信号を出力させる構成としたことを特徴とするイメ−ジセンサ−の出力装置を提案する。
　「作用」
　第１の発明の出力装置では、最大光検出手段と最小光検出手段によってイメ−ジセンサ−に入射した最も強い光と最も弱い光とが検出される。
　そして、これら検出手段が出力する最大光検出信号と最小光検出信号との差が信号処理手段によって算出される。
　
このように算出された差信号が増幅手段によって増幅され、増幅された差信号（増幅手段出力）が所定レベルに達した時、増幅された
が
　
つまり、制御手段が増幅された差信号にもとづき、イメ−ジ信号を出力する増幅手段の増幅度を設定すると共に、イメ−ジセンサ−の電荷蓄積を終了させる。
　第２の発明の出力装置は、最大光検出信号と最小光検出信号の差信号が大きいとき、つまり、イメ−ジセンサ−に入射した光の明暗差が大きいときは増幅度を小さく、その明暗差が小さいときは増幅度を大きく設定する。
　この結果、増幅手段によって増幅された差信号をＡ／Ｄ変換することが容易となり、高精度の明暗差信号が得られる。
　第３の発明の出力装置は、信号処理手段より出力された差信号の信号レベルが所定レベルに達すれば、第１の制御手段がその差信号にもとづいて電荷蓄積を終了させる。
　また、上記差信号の信号レベルが所定レベルに達するまでの間に電荷蓄積が飽和に近づいたとき最大光検出信号に応動ずる第２の制御手段が電荷蓄積を終了させる。
　第４の発明の出力装置は、信号処理手段が出力する差信号を増幅し、増幅した差信号の信号レベルが所定レベルに達したときに電荷蓄積を終了させる場合に、電荷蓄積を終了させたときの増幅手段の増幅度と同じか、または同様の増幅度に設定した増幅手段によってセンサ−出力信号と最小光検出信号との差信号を増幅してイメ−ジ信号を出力させる。
　「実施例」
　次に、本発明の実施例について図面に沿って説明する。
　第１図は本発明を焦点検出用のイメ−ジセンサ−に実施した一例を示す出力装置のブロック図で、２１はセンサ−アレイ、２２はリセットゲ−ト、２３はシフトゲ−ト、２４はＣＣＤシフトレジスタであり、これらはイメ−ジセンサ−を構成する従来例同様のものである。
　このイメ−ジセンサ−が駆動制御回路２５から送られる、リセットパルスΦｒ、シフトパルスΦｓ、転送パルスΦ１、Φ２を入力して動作しビデオ信号Ｖｏｓを出力することについては既に述べたところである。
　このイメ−ジセンサ−にはセンサ−アレイ２１に入射する光のうち、最も強い光が入射する画素の蓄積電荷量を電気的に検出する最大光検出回路２６と、最も弱い光が入射する画素の蓄積電荷量を電気的に検出する最小光検出回路２７が設けられている。すなわち、センサ−アレイ２１には第５図（ａ）、（ｂ）、第６図（ａ）、（ｂ）、第７図（ａ）、（ｂ）に示すように蓄積電荷量の最大値と最小値が現れるから、この最大値と最小値とを上記した検出回路２６、２７によって検出する。
　第２図はこれら検出回路２６、２７の具体例を示す回路図である。この具体例では、センサ−アレイ２１の各々の光電素子にゲ−トを接続したＮチャンネルのＭＯＳ型ＦＥＴ２８ａ、２８ｂ、２８ｃ、、、、、、、によって、光電素子に蓄積された電荷量をソ−スフォロアとして取り出し最小光に相当するＶｍｉｎ信号を出力し、また、同様に接続されたＰチャンネルのＭＯＳ型ＦＥＴ２９ａ、２９ｂ、２９ｃ、、、、、、、より最大光に相当するＶｍａｘ信号を出力する構成としてある。
　上記最大光検出回路２６によって検出されたＶｍａｘ信号はアンプ３０を介してサンプル／ホ−ルド回路３１に送り、ここでサンプリングしたＶｍａｘ信号及びホ−ルドされたＶｍａｘ信号をセレクタ回路３２によって選択し差動増幅回路３３に入力する。
　上記最小光検出回路２７によって検出されるＶｍｉｎ信号はアンプ３４を介して今一つのサンプル／ホ−ルド回路３５に送り、ここでサンプリングされたＶｍｉｎ信号及びホ−ルドされたＶｍｉｎ信号を差動増幅回路３３に入力する。
　サンプル／ホ−ルド回路３１、３５は駆動制御回路２５より送られるサンプル／ホ−ルド信号Φｓｈを入力して、サンプル状態からホ−ルド状態に切り換わる。
　また、上記したセレクタ回路３２は、セレクタ信号Ｓｅｌを入力して動作するアナログスイッチで構成してあり、セレクタ信号ＳｅｌがＨｉｇｈ電圧となることで、Ｖｍａｘ信号を、Ｌｏｗ電圧となることでアンプ３６を介して送られるＣＣＤシフトレジスタ２４からのビデオ信号Ｖｏｓを各々選択し差動増幅回路３３に入力させる。
　一方、最大光検出回路２６のＶｍａｘ信号は比較回路３７に送られ、予め定めた比較電圧Ｖｔと比較される。
　この比較電圧Ｖｔはセンサ−アレイ２１の蓄積電荷量が飽和に近づいたときのＶｍａｘ信号を入力して比較回路３７を反転させるように定めてある。
　すなわち、センサ−アレイ２１に入射する被写体光が明るく、その部分光によって電荷蓄積が飽和に近づくと、比較回路３７がその部分光に応じたＶｍａｘ信号により反転する。
　例えば、Ｖｍａｘ信号がセンサ−アレイ２１の飽和レベルの８０％程度となった時、比較回路３７が反転する。
比較回路３７の反転出力はシフトパルス制御回路３８に入力する。
　このシフトパルス制御回路３８はシフト選択信号Ｓｓを入力して切り換わり、この信号ＳｓがＬｏｗレベルであるとき、比較回路３７の反転出力が入力可能となり、この信号ＳｓがＨｉｇｈレベルになると、上記反転出力の入力を阻止し、外部からシフト信号Ｅｓを入力する。そして、反転出力の入力にしたがって、また、シフト信号Ｅｓの入力にしたがってシフト制御信号Ｓｃを駆動制御回路２５に送る。
　シフト信号Ｅｓはモニタ動作によって差動増幅回路３３の増幅度が被写体の明暗差にしたがって設定された後に、後述するマイクロコンピュ−タより送られるもので、シフトパルス制御回路３８にこのシフト信号Ｅｓを入力してシフト制御信号Ｓｃを出力している間は比較回路３７からの反転出力の入力が阻止される。
　この状態で駆動制御回路２５に送られたシフト制御信号Ｓｃは適当なパルスに整形され、シフトパルスΦｓとしてシフトゲ−ト２３に送られる。
　また、被写体の明暗度によって差動増幅回路３３の増幅度が設定される前、すなわち、モニタ動作中に比較回路３７からの反転出力がシフトパルス制御回路３８に入力したときには、上記同様に駆動制御回路２５がシフト制御信号Ｓｃの入力によって上記同様にシフトパルスΦｓをシフトゲ−ト２３に送り、また、シフト制御信号Ｓｃが送られたことをシフトモニタ回路３９が監視する。シフトモニタ回路３９はシフト制御信号Ｓｃを監視してセンサ−アレイ２１が次回の電荷蓄積を開始するまで被写体の明暗差モニタを行わないように動作する。
　上記したイメ−ジセンサ−のコントロ−ル回路は第３図のブロック５０のようにマイクロコンピュ−タ６０との間で各種の信号授受が行われる。
　マイクロコンピュ−タ６０から入力する信号として、既に説明したシフト選択信号Ｓｓ、シフト信号Ｅｅの他に、スタ−ト信号Ｓｔ、増幅度選択信号Ａｓｅｌ、転送制御信号Φｃｎｔがある。
　スタ−ト信号Ｓｔはセンサ−アレイ２１の電荷蓄積の開始を指令する信号である。
　増幅度選択信号Ａｓｅｌは差動増幅回路３３の増幅度を設定する信号である。
　転送制御信号ΦｃｎｔはＣＣＤシフトレジスタ２４を高速で駆動する制御信号である。通常時には差動増幅回路３３の出力信号ＶｏがＡ／Ｄ変換できるスピ−ドでこのシフトレジスタ２４の信号取り出しが行われるが、ビデオ信号Ｖｏｓが不要なときに、このシフトレジスタ２４を高速で駆動し、不要電荷をはき出させる。マイクロコンピュ−タ６０へ出力する信号としては差動増幅回路３３の出力信号Ｖｏ及びＡ／Ｄタイミング信号Ｓａｄがある。
　出力信号Ｖｏは、モニタ動作時に出力する被写体の明暗差に応じた出力信号−Ａｍ（Ｖｍａｘ−Ｖｍｉｎ）と、イメ−ジセンサ−からビデオ信号Ｖｏｓを入力したときの出力信号−Ａｓ（ＶｏＳ−Ｖｍｉｎ）とがある。
　Ａ／Ｄタイミング信号Ｓａｄは、ＣＣＤシフトレジスタ２４とマイクロコンピュ−タ６０に含むＡ／Ｄ変換器のタイミングを計る信号で、差動増幅回路３３の出力信号Ｖｏが安定しＡ／Ｄ変換が可能であることを伝達する信号である。
　次に、上記したイメ−ジセンサ−のコントロ−ル回路の動作について第４図に示すタイムチャ−トを参照しながら説明する。
　（１）　モニタによる増幅度の設定
　スタ−ト信号ＳｔがＨｉｇｈ電圧として入力することにより駆動制御回路２５からは、Ｌｏｗ電圧としてリセット信号Φｒが出力しセンサ−アレイ２１に電荷蓄積を開始させる。駆動制御回路２５はスタ−ト信号Ｓｔと共にシフト選択信号ＳｓがＬｏｗ電圧として入力することにより、サンプル／ホ−ルド信号Φｓｈとセレクト信号Ｓｅｌが共にＨｉｇｈ電圧として出力する。
サンプル／ホ−ルド信号Φｓｈはサンプル／ホ−ルド回路３１、３５を共にサンプルモ−ドに保持し、また、セレクト信号ＳｅｌはＶｍａｘ信号を選択するようにセレクト回路３２を切り換える。
　また、シフトパルス制御回路３８がシフト選択信号Ｓｓを入力して比較回路３７からの反転出力を入力する態勢に移る。
　なお、差動増幅回路３３には各々の回路構成を考慮して予め定めた増幅度Ａｍに設定するように増幅度選択信号Ａｓｅｌを供給する。
　上記の状態でセンサ−アレイ２１の電荷蓄積が進み、最大光検出回路２６によって検出されたＶｍａｘ信号と最小光検出回路２７によって検出されたＶｍｉｎ信号が各々サンプル／ホ−ルド回路３１，３５によりサンプリングされ差動増幅回路３３に入力する。
　したがって、差動増幅回路３３からは、
　Ｖｍ＝−Ａｍ（Ｖｍａｘ−Ｖｍｉｎ）・・・・・・・（１）
の出力信号Ｖｏが送り出される。
　上記の出力信号Ｖｏ＝ＶｍはＡ／Ｄ変換されてマイクロコンピュ−タ６０によってデ−タ処理され、その出力信号Ｖｏ＝Ｖｍがこのコンピュ−タ６０によって予め定められた規定時間内に所定レベルに達した時、マイクロコンピュ−タ６０が演算処理した増幅度選択信号Ａｓｅｌが第５図（ｃ）、第６図（ｃ）、第７図（ｃ）に示したモニタ信号Ｖｏ＝Ｖｍとして送られ、差動増幅回路３３の増幅度Ａｍがセンサ−アレイ２１に投影された被写体像の明暗差にしたがった一定の増幅度として新たに増幅度Ａｓが設定される。
　この増幅度Ａｓは、
　Ａｓ＝（Ｖｆ／Ｖｍ）・Ａｍ　Ｋ・・・・・・・・（２）
となるように設定する。なお、ＶｆはＡ／Ｄ変換器のフルスケ−ルである。Ｋは定数であり、上記したモニタ動作のときと、以下に述べるビデオ信号Ｖｏｓを出力させるときとのセンサ−アレイ２１の特性の違いを考慮して定めた安全係数であり、０．８程度に定めることが好ましい。
　第５図（ｂ）、第６図（ｂ）、第７図（ｂ）のように蓄積電荷量が少なく上記出力信号Ｖｏ＝Ｖｍの演算処理値が規定時間内に所定レベルに達しないときには、この規定時間の経過によって増幅度選択信号Ａｓｅｌが送られ、第５図（ｄ）、第６図（ｄ）、第７図（ｄ）に示したモニタ信号Ｖｏ＝Ｖｍとして送られて上記出力信号Ｖｏ＝Ｖｍの値に応じた増幅度として上記増幅度Ａｓが設定される。この場合、出力信号Ｖｏ＝Ｖｍレベルを判断し、第５図（ｂ）、第７図（ｂ）のようにＡ／Ｄ変換に不充分であるときは、差動増幅回路３３の出力信号ＶｏがＡ／Ｄ変換に適するように増幅度Ａｓが切り換えられる。
　増幅度選択信号Ａｓｅｌを３ビットの信号で供給すると仮定すれば、増幅度Ａｓは次の第１表のようにして設定することができる。
　（２）　ビデオ信号Ｖｏｓの出力動作
　上記したように、差動増幅回路３３の出力信号Ｖｏ＝Ｖｍが所定レベルに達すると、この増幅回路３３が増幅度Ａｓに設定されると同時に、シフト選択信号ＳｓがＬｏｗ電圧からＨｉｇｈ電圧に変わり、シフトパルス制御回路３８がシフト信号Ｅｓを入力する態勢に移り、これ以後はモニタ動作が再度行われるまで比較回路３７の反動出力の入力を禁止する。
　シフト信号Ｅｓはシフト選択信号ＳｓがＨｉｇｈ電圧となった後にマイクロコンピュ−タ６０より送られる正パルス信号であり、この信号Ｅｓの入力によってシフトパルス制御回路３８より出力されるシフト制御信号Ｓｃが駆動制御回路２５に送られ、既に述べたように、シフトパルスΦｓが供給され、センサ−アレイ２１の蓄積電荷がＣＣＤシフトレジスタ２４に移される。また、シフトパルスΦｓがシフトゲ−ト２３に送られると、リセットパルスΦｒがＬｏｗ電圧からＨｉｇｈ電圧となり、センサ−アレイ２１の電荷蓄積が中止する。
　すなわち、差動増幅回路３３、シフトパルス制御回路３８、マイクロコンピュ−タ６０などを含む第１の回路手段の動作によってセンサ−アレイ２１の蓄積電荷が取り出される。
　このように、シフト信号Ｅｓがコントロ−ル回路に供給された時、つまり、出力信号Ｖｏ＝Ｖｍが所定レベルに達した時にセンサ−アレイ２１の電荷蓄積が中止されるため、電荷蓄積時間が−（Ｖｍａｘ−Ｖｍｉｎ）にしたがって定まり、コントラスト比が高ければ短い時間となり、コントラスト比が高くなければ長い時間となる。
　一方、シフト選択信号ＳｓがＬｏｗ電圧からＨｉｇｈ電圧に変わることで、セレクト信号ＳｅｌがＨｉｇｈ電圧からＬｏｗ電圧に変わり、セレクタ回路がＶｍａｘ信号を通過させる状態から、ビデオ信号Ｖｏｓを通過させるように切り換わり、また、サンプル／ホ−ルド信号ΦｓｈもＨｉｇｈ電圧からＬｏｗ電圧に変わり、サンプル／ホ−ルド回路３１，３５がホ−ルド状態に保持される。
　スタ−ト信号Ｓｔは所定時間の経過後にＨｉｇｈ電圧からＬｏｗ電圧となり、これと同時に転送パルスΦ１、Φ２がＣＣＤシフトレジスタ２４に入力して、このシフトレジスタ２４のデ−タが順次シリアルに送り出され、ビデオ信号Ｖｏｓが出力する。
　これより、差動増幅回路３３にはビデオ信号Ｖｏｓとホ−ルドされたＶｍｉｎ信号が入力し、その出力信号Ｖｏが
　Ｖｓ＝−Ａｓ（Ｖｏｓ−Ｖｍｉｎ）・・・・・・（３）
として出力される。
　この出力信号Ｖｏ＝Ｖｓは転送パルスΦ１、Φ２に同期して１画素つづ順次出されＡ／Ｄ変換器に送られ、Ａ／Ｄ変換された画素デ−タが記憶演算部に順次記憶される。
　測距演算に必要な全画素デ−タが記憶演算部に格納されると、モニタ増幅度Ａｍを再度設定し、上記したモニタ動作に移る。
　なお、第４図において、Ｔｉは電荷蓄積時間、ＴｓはＣＣＤシフトレジスタ２４からの電荷信号取り出し時間、Ｔｏは演算処理時間を示し、Ｔｉ２は第２回目の電荷蓄積時間である。
　上記（２）、（３）式より分かる通り、被写体の最大明暗差にしたがう増幅度Ａｓでビデオ信号ＶｏｓとＶｍｉｎ信号との差が増幅されるので、明暗差の小さい場合には増幅度Ａｓを大きく、明暗差の大きい場合には増幅度Ａｓが小さくなる結果、明暗差の小さい被写体のときでも出力信号Ｖｓが極めて高精度でＡ／Ｄ変換されるようになる。
　例えば、フルスケ−ル４ＶのＡ／Ｄ変換器を使用したとすれば、（Ｖｍａｘ−Ｖｍｉｎ）が１００ｍＶのときは増幅度Ａｓ＝４０、（Ｖｍａｘ−Ｖｍｉｎ）が５００ｍＶのときは増幅度Ａｓ＝８として−（Ｖｏｓ−Ｖｍｉｎ）信号を増幅する。また、ビデオ信号Ｖｏｓは第９図に示すように現れるが、このビデオ信号Ｖｏｓをそのまま増幅することなく、−（Ｖｏｓ−Ｖｍｉｎ）信号として真の信号変化成分のみを増幅するので、信号の変化を高精度で捕らえることができる。
　例えば、１００：９０の被写体光を１００の分解能でＡ／Ｄ変換しても９０〜１００の信号を得るのもであるが、−（Ｖｏｓ−Ｖｍｉｎ）信号を１０倍増幅してＡ／Ｄ変換すれば、０〜１００の信号を得ることができ、１０倍の分解能をもったＡ／Ｄ変換器を使用したことと同等となって効果的である。
　なお、第９図には明暗差の大きい場合を示しているが、カメラの焦点検出ではもっと小さい明暗差となる。
　（３）　センサ−アレイの飽和の監視動作
　被写体の明暗差のモニタ中にセンサ−アレイ２１が電荷蓄積の飽和レベルに近づくか否かを比較回路３７で検出する。（第８図参照）
　既に述べたように、比較回路３７は被写体光が明るくセンサ−アレイ２１が飽和レベルに近づいたときＶｍａｘ信号を入力して反転し、反転出力をシフトパルス制御回路３８に送る。このときシフト選択信号ＳｓはＬｏｗになっており、シフトパルス制御回路３８が上記反転出力を入力してシフト制御信号Ｓｃを駆動制御回路２５に送る。したがって、上記の状態がシフトモニタ回路３９によって監視されると共に、ＣＣＤシフトレジスタ２４へ蓄積電荷が移される。
　ただし、この時点では差動増幅回路３３の出力信号Ｖｏ＝Ｖｍ＝−Ａｍ（Ｖｍａｘ−Ｖｍｉｎ）が所定レベルに達しておらず、シフト選択信号ＳｓがＬｏｗ電圧となっているため、サンプル／ホ−ルド回路３１、３５がサンプル状態、セレクタ回路３２がＶｍａｘ信号の選択状態となっている。
　したがって、この場合には、増幅度選択信号Ａｓｅｌを再度設定し、状態（１）式の出力信号Ｖｍが所定レベルに達するようにする。これより、シフト選択信号ＳｓがＬｏｗ電圧からＨｉｇｈ電圧に変わり、サンプル／ホ−ルド回路３１，３５がホ−ルドモ−ド、セレクタ回路３２がビデオ信号Ｖｏｓの選択モ−ドとなり、差動増幅回路３３が上記（３）式にしたがった出力信号Ｖｏ＝Ｖｓを出力する。
　上記動作の場合には、センサ−アレイ２１の電荷蓄積時間が比較回路３７、シフトパルス制御回路３８などを含む第２の回路手段によって制御される。
　（４）　強制的な実行動作
　暗黒中のような場合には、規定時間内に明暗差モニタの出力信号Ｖｏ＝Ｖｍが所定レベルに達せず、また、比較回路３７も反転しない。このときには、マイクロコンピュ−タ６０によって計測する第１規定時間を経過した時点でＶｏ＝Ｖｍのレベル判断結果にもとずき、この時点で、シフト選択信号ＳｓをＨｉｇｈ電圧としてシフト信号Ｅｓを有効として入力することにより、ＣＣＤシフトレジスタ２４に蓄積電荷を移す。
　例えば、第６図（ｂ）に示したようにＶｏ＝Ｖｍが所定レベルの１／４以上あり、被写体パタ−ンによって測距演算、コントラスト判定が可能であるとき、或いは、前回取り入れたデ−タにもとづいたコントラスト判定結果より現在のモニタによるＶｏ＝Ｖｍのレベルでも測距演算可能と判断したとき、さらには、センサ−アレイ２１上の被写体像の移動速度が大きく（レンズ移動中等）これ以上電荷蓄積時間を延長しても無意味と判断したときなどにシフト信号Ｅｓ（Ｈｉｇｈ）を強制的に与える。
　上記した第１規定時間内に蓄積電荷がＣＣＤシフトレジスタ２４に移されない条件の場合には、第２規定時間まで電荷蓄積時間を延長し、第２規定時間に達した時無条件にシフト信号Ｅｓ（Ｈｉｇｈ）を与えてシフトパルスを発生させ、センサ−アレイ２１に蓄積された電荷をＣＣＤシフトレジスタ２４に移すようにする。
　したがって、上記のような動作となるときには、センサ−アレイ２１の電荷蓄積時間が第１または第２の規定時間によって定まることになる。
第１０図は第１図に示す出力装置のフロ−チャ−トである。
　図示するように、ステップＳＴ２において増幅度Ａｍを設定し、センサ−アレイ２１の電荷蓄積を開始させ、その後、ステップＳＴ３では出力信号Ｖｍが（具体的にはマイクロコンピュ−タ６０の演算処理値）所定レベルに達したか否かが判断されて、所定レベルに達したときにはステップＳＴ６に進み増幅度Ａｓが設定され、次にステップＳＴ７で−（Ｖｏｓ−Ｖｍｉｎ）信号が増幅後にＡ／Ｄ変換される。
　測距演算が行なわれた後再度測距するか否かの判断がステップＳＴ１０で行なわれるが、再度測距する場合にはＶｍａｘ信号が比較電圧Ｖｔに達しているか否かをステップＳＴ１１で判断し、比較電圧Ｖｔに達しておれば初期のステップＳＴ１に戻り不要電荷の高速はき出しが行なわれ、その後、上記のル−プにしたがう動作となり、比較電圧Ｖｔに達していないときにはステップＳＴ３に戻って出力信号Ｖｍのレベル判定ステップから進むことになる。
　また、ステップＳＴ３で出力信号Ｖｍが所定レベルに達しておらず、Ｖｍａｘ信号が比較電圧Ｖｔに達すると、電荷蓄積の飽和の監視にしたがって増幅度Ａｍが再設定されステップＳＴ６に移り、さらに、規定時間が経過しても出力信号Ｖｍが所定レベルに達しないときには同様に増幅度Ａｍが再設定されステップＳＴ５からステップＳＴ６に移り、その後、−（Ｖｏｓ−Ｖｍｉｎ）信号の増幅、出力信号ＶｓのＡ／Ｄ変換が行なわれる。
　次に、センサ−アレイ２１の電荷蓄積開始時点をいろいろ変えて実行した例を示すタイムチャ−トを第１１図に示す。
　この図において、フェ−ズＰｈ１はＶｍａｘ信号が比較電圧Ｖｔに達した結果実行された例を示し、Ｔｉ１は電荷蓄積時間、Ｔｓ１はＣＣＤシフトレジスタ２４の信号取り出し時間、Ｔｏ１はデ−タの演算処理時間を各々示している。なお、この場合増幅度ＡｍがＡｍ１に再設定される。
　フェ−ズＰｈ２は信号取り出し時間Ｔｓ１が終わった後直ちに電荷蓄積を開始させた例を示し、Ｔｉ２、、Ｔｓ２、Ｔｏ２は同様に電荷蓄積時間、信号取り出し時間、演算処理時間を示している。
　フェ−ズＰｈ３は、信号取り出し時間Ｔｓ２が終わった後直ちに電荷蓄積を開始させた例で、この場合には、演算処理時間Ｔｏ２中にＶｍａｘ信号が比較電圧Ｖｔに達したため、時間Ｔｅの間に電荷の高速はき出しが行なわれ、その後、フェ−ズＰｈ４の電荷蓄積時間Ｔｉ４が開始される。
　フェ−スＰｈ４では、シフト時の出力信号Ｖｏ＝Ｖｍ値により、Ｖｏｓ−Ｖｍｉｎの増幅度−Ａｓ２を選択している。
　フェ−ズＰｈ５では、電荷蓄積時間Ｔｉ４の終了後、電荷蓄積時間Ｔｉ５を開始させた例で、演算処理時間Ｔｏ４中に蓄積時間Ｔｉ５が終了し、直ちに信号取り出し時間Ｔｓ５に入っている。
　フェ−ズＰｈ６は、電荷蓄積時間Ｔｉ６が規定時間より長くなり、シフト信号Ｅｓが強制的に与えられて実行された例である。
　以上、ＣＣＤ素子を使用したイメ−ジセンサ−を例にとって説明したが、本発明は他の同様の素子、例えば、ＭＯＳセンサ−を使用したイメ−ジセンサ−についても同様に実施することができる。
　「発明の効果」
　上記した通り、本発明の出力装置によれば、イメ−ジセンサ−に入射した光の明暗差が検出され、この検出信号にしたがって装置回路部が制御される。
　したがって、
イメ−ジ信号を出力する
は
　このことから、イメ−ジセンサ−に入射した光のコントラスト比の高低にかかわらず、高い精度の装置出力を得ることができる。
　
また、最大光検出信号と最小光検出信号との差信号を増幅し、増幅した差信号にもとづいてイメ−ジセンサ−の電荷蓄積を終了させる構成としたので、イメ−ジセンサ−に入射した光のコントラスト比の高低にかかわらず、電荷蓄積時間を高い精度で制御するイメ−ジセンサ−の出力装置となる。
　さらに、本発明の出力装置は、イメ−ジセンサ−に入射する光の最大光検出信号と最小光検出信号との差信号が所定レベルに達したときに電荷蓄積を終了させる第１の制御手段の他に、差信号が所定レベルに達するまでの間に電荷蓄積が飽和する状態に近づけば、第２の制御手段によって蓄積電荷を終了させるので、イメ−ジセンサ−に高い輝度の光が入射したとき、また、明暗差の大きい光が入射したときでも正確な電荷蓄積時間となる。
　また、本発明の出力装置は、最大光検出信号と最小光検出信号の差信号に応じて電荷蓄積を終了させたときのその差信号の増幅度と同じか、または同様の増幅度に設定された増幅手段によってセンサ−出力信号を増幅することから、コントラストの高低に影響されないイメ−ジ信号を得ることができる。
【図面の簡単な説明】
　第１図はカメラの焦点検出装置のイメ−ジセンサ−に本発明を実施した出力装置のブロック図、第２図は上記出力装置に備えた最大光検出回路と最小光検出回路の具体例を示す回路図、第３図は上記出力装置とマイクロコンピュ−タとの信号授受状態を示すブロック図、第４図は上記出力装置の動作を示すタイムチャ−ト、第５図、第６図及び第７図は、モニタでの差動増幅回路出力信号とモニタ信号を、低輝度、中輝度、高輝度毎に示した説明図、第８図は上記イメ−ジセンサ−が備えるセンサ−アレイの電荷蓄積状態を示す図、第９図は上記イメ−ジセンサ−が備えるＣＣＤシフトレジスタから取り出されるビデオ信号を示す図、第１０図は上記出力装置のフロ−チャ−ト、第１１図は上記センサ−アレイの電荷蓄積開始点をいろいろ変えて実行した例を示すタイムチャ−ト、第１２図〜第１５図は従来例を示し、第１２図はイメ−ジセンサ−のブロック図、第１３図はイメ−ジセンサ−の動作波形図、第１４図はモニタ電圧を示す説明図、第１５図はセンサ−アレイに蓄積された電荷量を示す図である。
　２１・・・センサ−アレイ
　２４・・・ＣＣＤシフトレジスタ
　２５・・・駆動制御回路
　２６・・・最大光検出回路
　２７・・・最小光検出回路
　３１、３５・・・サンプル／ホ−ルド回路
　３２・・・セレクタ回路
　３３・・・差動増幅回路
　３７・・・比較回路
　３８・・・シフトパルス制御回路
　３９・・・シフトモニタ回路